(57)【特許請求の範囲】
【請求項１】
中間位置の敷き台に貫通孔が設けられ、その貫通孔上にその孔より大径の金属箔を配置して、その孔とほぼ同径の輪切り状の固形燃料をその金属箔上に乗せ、その中心へ上方よりロッドを押圧して下位の受け台で器状金属箔により底面部及び周側面部の一部又は全体が包被された固形燃料を受け、次に同様の敷き台の貫通孔上に同様の金属箔で小孔を設けたものを配置して、この金属箔上に前記包被された固形燃料を上下に反転して乗せ、その中心へ上方よりロッドを押圧して同様の受け台で、底面部及び周側面部の全体が包被され、上面部一部の面部が着火部として露出した固形燃料を得るようにしたことを特徴とする、保温、加温用固形燃料の包被方法。
【請求項２】
中間位置の敷き台に貫通孔が設けられ、その貫通孔上にその孔より大径の金属箔で小孔を設けたものを配置して、その貫通孔とほぼ同径の輪切り状の固形燃料をその金属箔上に乗せ、その中心へ上方よりロッドを押圧して下位の受け台で器状金属箔により底面部の一部に小孔を有し周側面部の一部又は全体が包被された固形燃料を受け、次に同様の敷き台の貫通孔上に同様の金属箔で小孔のないものを配置して、この金属箔上に前記包被された固形燃料を上下に反転して乗せ、その中心へ上方よりロッドを押圧して同様の受け台で、底面部及び周側面部の全体が包被され、上面部一部の面部が着火部として露出した固形燃料を得るようにしたことを特徴とする、保温、加温用固形燃料の包被方法。
【請求項３】
固形燃料が蒸発防止用樹脂フィルムにより予めほぼ密封包装されていることを特徴とする、請求項１又は２に記載された保温、加温用固形燃料の包被方法。
【請求項４】
金属箔の内面に接着剤が塗布されていることを特徴とする、請求項１、２又は３に記載された保温、加温用固形燃料の包被方法。
【請求項５】
内面がホットメルト樹脂でラミネートされた金属箔を用いて、ロッドの押圧の際、金属箔が加熱されることを特徴とする、請求項１、２、３、又は４に記載された保温、加温用固形燃料の包被方法。
【発明の詳細な説明】
【０００１】
【発明の属する技術分野】
本発明は、主にアルミ箔など難燃性材により外装包装された、アルコールを主成分とした固形燃料、とくに外装に改良が加えられた、保温、加温用固形燃料の包被方法に関する。
【０００２】
【従来の技術】
アルコールを主成分とした固形燃料棒状成形体を輪切りして、上部のみ露出させアルミ箔により外装として包み込んで得られる固形燃料は、例えば実公昭５８−２９１６４号公報により知られている。
【０００３】
また、同様の液状燃料を金属缶内に流し込み、冷却により固めた後に、窓のように一部のみ開口できる蓋を付けた固形燃料も知られているが、この場合金属缶を使うためコスト高になっており、使用済み後、かさ高い空き缶として廃棄処理されるが、この処理は面倒である。
【０００４】
前記した安価に得られるアルミ箔外装の固形燃料は、一般的には蒸発防止のために樹脂フィルムによりほぼ密封包装され、さらに内面に熱接着剤層を設け、これが前記樹脂フィルムと接合して熱接着するよう、底部より絞り包み込み上面全域が開口しているアルミ箔により外装包装されており、使用において上部より固形燃料と共に樹脂フィルムも完全燃焼し、このような燃焼による残渣をアルミ箔容器内に受けてこれをそのまま捨てるなどごみ処理を容易にしたものは、例えば実開昭６０−５２９４９号公報により公知である。
【０００５】
例えば釜めしなどで、しかもドライブ・イン、ゴルフ場の昼食などでは、その煮炊きが短時間で終えることがお客にとって好ましく、また営業主にとってお客の出入りを多くして、いわゆる早い顧客回転率が望まれており、これに応じて本出願人は、燃焼部の露出面積を大きくして外装した早炊き用固形燃料を特願平１０−２４６６１６号により提案している。
【０００６】
しかしながら、時間的にもっと早い顧客回転率が求められている。団体客などの多人数の料理を煮炊きまで予め調理場で用意して、多人数が用いる食卓上へそれらの料理を運んでおき、お客が席についたら直ぐ食べることができるようにするのが効率的である。
【０００７】
この場合、調理場では団体客が到着する予約時間に合わせて調理して用意するのであるが、その予約時間は交通事情などにより守られず、これを過ぎて遅れた時間に食事をすることが多く、その間に料理が冷めてしまうという事態が生ずる。
【０００８】
本出願人は、このような事情にかんがみて、主に調理済み料理を保温または加温するために用いられる、保温、加温用固形燃料を提案し、特開２００１−５９０９３により開示している。その実施例態様は、図４に示されているようなもので、外装アルミ箔１０ａ，１０ｂ，１０ｃの空気に触れる表面部に着火部として一部切り欠きないし露出部１２ａ，１２ｂ，１２ｃを設けたものである。
【０００９】
【発明が解決しようとする課題】
本発明の目的は、前記した保温、加温用固形燃料の包被方法を提供することである。
【００１０】
【課題を解決するための手段】
第１の手段は、中間位置の敷き台に貫通孔が設けられ、その貫通孔上にその孔より大径の金属箔を配置して、その孔とほぼ同径の輪切り状の固形燃料をその金属箔上に乗せ、その中心へ上方よりロッドを押圧して下位の受け台で器状金属箔により底面部の一部又は全体周側面部が包被された固形燃料を受け、次に同様の敷き台の貫通孔上に同様の金属箔で小孔を設けたものを配置して、この金属箔上に前記包被された固形燃料を上下に反転して乗せ、その中心へ上方よりロッドを押圧して同様の受け台で、一部の面部が着火部として露出した固形燃料を得るようにすることにより、達成される。
【００１１】
第２の手段は、中間位置の敷き台に貫通孔が設けられ、その貫通孔上にその孔より大径の金属箔で小孔を設けたものを配置して、その貫通孔とほぼ同径の輪切り状の固形燃料をその金属箔上に乗せ、その中心へ上方よりロッドを押圧して下位の受け台で器状金属箔により底面部の一部に小孔を有し周側面部の一部又は全体が包被された固形燃料を受け、次に同様の敷き台の貫通孔上に同様の金属箔で小孔のないものを配置して、この金属箔上に前記包被された固形燃料を上下に反転して乗せ、その中心へ上方よりロッドを押圧して同様の受け台で、一部の面部が着火部として露出した固形燃料を得るようにすることにより、達成される。
【００１２】
第３の手段は、中間位置の敷き台に貫通孔が設けられ、その貫通孔上にその孔より大径の金属箔で小孔を設けたものを配置して、その貫通孔とほぼ同径の輪切り状の固形燃料をその金属箔上に乗せ、その中心へ上方よりロッドを押圧して下位の受け台で器状金属箔により底面部の一部に小孔を有し周側面部の一部又は全体が包被された固形燃料を受け、これを上下反転させて燃料受けに載せて使用するようにした、一部の面部が着火部として露出した固形燃料を得るようにすることにより、達成される。
【００１３】
第４の手段は、器状金属箔により底面部及び周側面部の一部又は全体が既に包被された固形燃料について、中間位置の敷き台に貫通孔が設けられ、その貫通孔上にその孔より大径の金属箔で小孔を設けたものを配置して、その貫通孔とほぼ同径の輪切り状の前記包被された固形燃料の露出上面部を下にしてその金属箔上に乗せ、その中心へ上方よりロッドを押圧して下位の受け台で、一部の面部が着火部として露出した固形燃料を得るようにすることにより、達成される。
【００１４】
【作用】
本出願人は実公平５−１６２００により固形燃料の金属箔自動形成固定装置を開示している。その１実施例は、図１に示すようなものであり、全周面が樹脂フィルムにより被覆された固形燃料本体３０の周面部にラミネート金属箔を器状に形成し固定する装置に於いて、シリンダの駆動軸上に沿って連設された成形押入ロッド２４と、貫通された成形孔２２ａを有する成形ホルダー２２と、貫通された前記成形孔と断面が略同形同大の加熱孔を有する加熱ホルダー２６とからなり、これらの成形ホルダーと加熱ホルダーとが前記成形押入ロッド端の及ぶ位置にそれらの前記成形孔と前記加熱孔とを一連にして順に配されてなる構成を特徴とするものである。
本発明による方法は、小孔のある金属箔を用意して、前記自動装置を利用することにより、容易にかつ多様に達成される。
【００１５】
【発明の実施の形態】
本発明の好適な実施例は、図面に基づいて説明される。
図４は、特開２００１−５９０９３により開示した保温、加温用固形燃料の実施態様例１０ａ，１０ｂ，１０ｃを示し、アルコールを主成分とした固形燃料棒状成形体（図示せず）より分断した輪切り片などの細切れ状固形燃料本体と、これを包装した蒸発防止用樹脂フィルム（図３，３０ｆ）と、この樹脂フィルムの外表面一部のみに着火部１２ａ，１２ｂ，１２ｃを設けた金属箔など難燃性材の外装材とからなる。
【００１６】
図１は本発明の方法の実施に使用される装置例の概略断面図であり、図２はこの装置例を使って達成される４つの実施例を示した説明図である。
第１の実施例では、先に小孔のない金属箔３２ａを、次に小孔のある金属箔３２ｂを使って、上面中央に着火部３８ａを有する保温、加温用固形燃料３６ａが得られる。
中間位置の敷き台２２に貫通孔２２ａが設けられ、その貫通孔上にその孔より大径の金属箔３２ａを配置して、その孔とほぼ同径の輪切り状の固形燃料３０をその金属箔上に乗せ、その中心へ上方よりロッド２４を押圧して下位の受け台２８で器状金属箔３４により底面部及び周側面部が包被された固形燃料３０を受け、次に同様の敷き台の貫通孔上２２ａに同様の金属箔で小孔を設けたもの３２ｂを配置して、この金属箔上に前記包被された固形燃料を上下に反転して乗せ、その中心へ上方よりロッド２４を押圧して同様の受け台２８で、一部の面部３８ａが着火部として露出した固形燃料３６ａが得られる。
【００１７】
第２の実施例では、先に小孔のある金属箔３２ｂを、次に小孔のない金属箔３２ａを使って、上面中央に着火部３８ａを有する保温、加温用固形燃料３６ｂが得られる。
中間位置の敷き台２２に貫通孔２２ａが設けられ、その貫通孔上にその孔より大径の金属箔で小孔を設けたもの３２ｂを配置して、その孔とほぼ同径の輪切り状の固形燃料３０をその金属箔上に乗せ、その中心へ上方よりロッド２４を押圧して下位の受け台２８で器状金属箔３４により底面部及び周側面部が包被された固形燃料３０を受け、次に同様の敷き台の貫通孔２２ａ上に同様の金属箔で小孔のないもの３２ａを配置して、この金属箔上に前記包被された固形燃料を上下に反転して乗せ、その中心へ上方よりロッド２４を押圧して同様の受け台２８で、一部の面部３８ａが着火部として露出した固形燃料３６ｂが得られる。
【００１８】
第３の実施例では、小孔のある金属箔３２ｂのみが使われ、使用の際接地する底面部が金属箔で被覆されていなく、また上面中央に着火部３８ａを有する保温、加温用固形燃料３６ｃが得られ、この場合その底面部を燃料受け４０に乗せて使用される。
中間位置の敷き台２２に貫通孔２２ａが設けられ、その貫通孔上にその孔より大径の金属箔で小孔を設けたもの３２ｂを配置して、その孔とほぼ同径の輪切り状の固形燃料３０をその金属箔上に乗せ、その中心へ上方よりロッド２４を押圧して下位の受け台２８で器状金属箔３４により底面部及び周側面部が包被された固形燃料３６ｃを受け、これを上下反転させて燃料受け４０に載せて使用する。
【００１９】
第４の実施例では、器状金属箔により底面部及び周側面部が既に包被され、上面全域が露出された従来品の固形燃料と小孔のある金属箔３２ｂを使って、上面中央に着火部３８ａを有する保温、加温用固形燃料３６ｄが得られる。
つまり、中間位置の敷き台２２に貫通孔２２ａが設けられ、その貫通孔上にその孔より大径の金属箔で小孔を設けたもの３２ｂを配置して、その貫通孔とほぼ同径の輪切り状の前記従来品固形燃料の露出上面部を下にしてその金属箔上に乗せ、その中心へ上方よりロッド２４を押圧して下位の受け台２８で、一部の面部３８ａが着火部として露出した固形燃料３６ｄが得られる。
【００２０】
本発明による固形燃料は、金属箔により包被される前に、蒸発防止のために図３に示すよう樹脂フィルム３０ｆにより全面をほぼ密封包装するのが好ましい。金属箔として材料がアルミに限らない。また、成形を容易にするために、成形の過程で、内面がホットメルト樹脂でラミネートされた金属箔を、例えば図示例の加熱ホルダー２６を介して加熱させることが、また同様の目的で金属箔の内面に接着剤を塗布しておくことが好ましい。さらに、金属箔における小孔の位置は上面中央３８ａに限らず、図１の金属箔３２ｂに示すように他の位置３８ｃ、３８ｂでもよく、小孔の数も１つに限らず、大きさも適宜に設計される。
【００２１】
【発明の効果】
本発明によれば、公知の装置例を利用して容易にかつ多様に実施できる保温、加温用固形燃料の包被方法が得られる。
【図面の簡単な説明】
【図１】本発明の実施に使用される装置例の説明図。
【図２】本発明の実施例説明図
【図３】他の実施例説明図。
【図４】着火部として一部が露出された固形燃料の態様例示図。
【符号の説明】
１０、３６    保温、加温固形燃料    ３０      固形燃料
１２、３８    着火部                ３２ａ    小孔のない金属箔
２２          敷き台                ３２ｂ    小孔のある金属箔
２４          ロッド                ３８      小孔
２８          受け台                ３０ｆ    樹脂フィルム
２６          加熱ホルダー
【図１】
0003765734.tif 000002
【図２】
0003765734.tif 000003
【図３】
0003765734.tif 000004
【図４】
0003765734.tif 000005